(57)【要約】【課題】実際に呼び出しが行われている最中のポップアップ画像および患者画像と医療従事者が応答した後のポップアップ画像および患者画像とを容易に区別できるようにする。【解決手段】呼び出しが行われた場合に、応答が行われるまでの間、呼出種別情報と子機識別情報と患者識別情報とその他の患者情報とを含むポップアップ画像を、患者を撮影した画像とともに表示するとともに、応答が行われた後は、呼出種別情報、子機識別情報、患者識別情報のみを含むポップアップ画像を患者画像情報とともに表示するので、ポップアップ画像の表示内容を確認するだけで、呼び出しが行われている最中のものなのか、医療従事者が応答した後のものなのかを医療従事者に容易に区別させることができる。【選択図】図２
2014158637.tif 000002
【特許請求の範囲】
【請求項１】
各ベッドに設置されており、患者によって操作される呼出操作部と、この呼出操作部の操作により呼出信号を生成する子機制御部と、この子機制御部により生成された呼出信号を出力する子機インターフェースとを有するナースコール子機と、
前記各ベッドに必要に応じて設置されており、患者の所定の状態を検出する検出部と、この検出部が前記患者の所定の状態を検出することにより検出信号を生成するセンサー制御部と、このセンサー制御部により生成された検出信号を出力するセンサーインターフェースとを備えるセンサーと、
前記各ベッドに設置されており、前記ベッド付近の患者の状態を撮影して患者画像情報として出力するカメラと、
前記呼出信号、検出信号、および、患者画像情報を入力するインターフェースと、前記ナースコール子機による呼び出しの報知を示すポップアップ画像とともに前記患者画像情報による患者画像を表示するとともに、前記センサーによる呼び出しの報知を示すポップアップ画像とともに前記患者画像を表示する表示部と、前記呼び出しの報知に対して応答を行うために操作される応答操作部と、前記インターフェースが前記呼出信号を入力した場合に、前記ナースコール子機による呼び出しであることを示す呼出種別情報、前記ナースコール子機が設置されている場所を示す子機識別情報、前記ナースコール子機を使用する患者を特定するための患者識別情報、および、前記患者識別情報以外の患者情報を含む前記ポップアップ画像を前記表示部に表示させる第一の制御、この状態で前記応答操作部が操作されたときに、前記第一の制御にて表示されているポップアップ画像の代わりに、前記呼出種別情報、前記子機識別情報、前記患者識別情報のみを含むポップアップ画像を前記表示部に表示させる第二の制御、前記インターフェースが前記検出信号を入力した場合に、前記センサーによる呼び出しであることを示す呼出種別情報、前記センサーが設置されている場所を示す子機識別情報、前記センサーを使用する患者を特定するための患者識別情報、および、前記患者識別情報以外の患者情報を含む前記ポップアップ画像を前記表示部に表示させる第三の制御、この状態で前記応答操作部が操作されたときに、前記第三の制御にて表示されているポップアップ画像の代わりに、前記呼出種別情報、前記子機識別情報、前記患者識別情報のみを含むポップアップ画像を前記表示部に表示させる第四の制御を行う制御部とを有するナースコール親機と、
を備えたことを特徴とするナースコールシステム。
【発明の詳細な説明】
【技術分野】
【０００１】
本発明は、患者や被介護者が看護師や介護師を呼び出すためのナースコールシステムに関し、特に患者や被介護者の様子を撮影してナースコール親機のディスプレイ上に表示するナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）が呼出操作部を操作することによって看護師や介護師（以下、医療従事者と記載する）を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携帯する携帯端末（例えば、ＰＨＳ（Personal Handy phone System）端末など）とＰＢＸ（Private
Branch Exchange：電話交換機）とを備えたナースコールシステムも提供されている。ここで、ナースコール子機は、呼出操作部を備えている。
【０００４】
このようなナースコールシステムは、患者がナースコール子機の呼出操作部を操作した場合に、ナースコール子機からナースコール親機へ呼出信号を出力し、呼出信号を入力したナースコール親機にて呼び出しを報知するように構成されている。
【０００５】
ナースコール親機には、ＬＥＤ（light-emitting  diode）などのランプと患者の名前などを表示する表示欄とを備えた選局部を患者の数に応じて組み合わせたボード形のものが知られている。ボード形のナースコール親機は、ナースステーションの壁面などに取り付けられ、ナースステーション内の医療従事者がボード形親機に表示された情報を閲覧することが可能である。ここで、ナースコール子機から出力された呼出信号を入力したナースコール親機では、呼出信号に含まれ、ナースコール子機を識別するための子機識別情報により呼び出しを行った患者（実際にはナースコール子機）を特定する。そして、特定されたナースコール子機を使用している患者の表示欄に対応する選局部のランプを点灯または点滅させることで呼び出しの報知を行っている。また、呼び出しの報知は、選局部のランプの点灯や点滅だけではなく、スピーカーから出力される音声によっても行われる。
【０００６】
また、ナースコール親機としては、上述したボード形のものだけではなく、卓上に設置される卓上形のものや、報知や各種情報をディスプレイ上に表示するＰＣ（personal  computer）形のものも知られている。ここで、病室およびベッドの配置に合わせて患者の氏名などの患者情報をディスプレイ上に表示したり、ナースコール子機の呼出操作部の操作により呼び出しが行われた場合に、呼び出しを行った患者の患者情報をディスプレイ上にポップアップ表示したりするナースコールシステムが知られている（例えば、特許文献１を参照）。
【０００７】
また、上述したように、ナースコール親機にて呼び出しの報知が行われると、これに気付いた医療従事者が応答する必要がある。そのため、ナースコール親機には、呼び出しの報知に応答するためのハンドセットが設けられている。呼び出しの報知が行われている場合に、医療従事者がハンドセットをオフフックすると、呼び出しの報知が停止し、ナースコール親機とナースコール子機（またはナースコール子機が設置された病室）との間で通話路が形成される。ここで、ナースコール子機（または病室）には、通話用のスピーカーやマイクが設けられているため、患者と医療従事者との間で通話が可能となる。また、携帯端末が使用可能である場合には、医療従事者は、携帯端末を操作して呼び出しに応答することができる。
【０００８】
また、ナースコール子機の呼出操作部の操作により呼び出しが行われ、ナースコール親機にて報知が行われて、医療従事者が応答した場合に、患者のベッド付近に設置されているカメラにて撮影された患者の画像をナースコール親機のディスプレイ上に表示するシステムも知られている（例えば、特許文献２を参照）。
【０００９】
また、各種のセンサーを用いることで、患者がナースコール子機の呼出操作部を操作しなくても、患者の状態の変化を検出して、ナースコール親機にて報知するナースコールシステムも存在している。このようなナースコールシステムにおいて、センサーによる呼び出しが発生した場合に、ベッドの状態を撮影した画像をディスプレイに表示することも知られている（例えば、特許文献３を参照）。
【００１０】
ここで、特許文献２、特許文献３に記載されているような患者画像は、上述した特許文献１に記載されているポップアップ画像とともに表示されることが好ましい。これは、患者情報と患者画像とを関連付けて閲覧することができるという意味がある。
【００１１】
また、ナースコール子機の呼出操作部が操作により呼び出しのポップアップ画像とともに表示される患者画像は、呼び出しを行った患者の状態を継続して観察する必要があるため、医療従事者が応答した後もポップアップ画像および患者画像を消去しないようにすることが好ましい。同様に、センサーによる呼び出しのポップアップ画像とともに表示される患者画像も、その後の患者の状態を継続して観察する必要がある点、および、センサーによる呼び出しが誤報である可能性を確認する必要がある点を考慮して、医療従事者が応答した後もポップアップ画像および患者画像を消去しないようにすることが好ましい。
【００１２】
そのため、医療従事者が応答した後もポップアップ画像および患者画像を表示し続ける方法が考えられる。しかしながら、この従来技術では、実際に呼び出しが行われている最中のポップアップ画像および患者画像と医療従事者が応答した後のポップアップ画像および患者画像とが区別できなくないため、医療従事者が混乱してしまうという問題があった。
【先行技術文献】
【特許文献】
【００１３】
【特許文献１】特開２００７−２６８０１９号公報
【特許文献２】特開２００３−３１９０８０号公報
【特許文献３】特開２０００−１０５８８５号公報
【発明の概要】
【発明が解決しようとする課題】
【００１４】
本発明は、このような問題を解決するために成されたものであり、実際に呼び出しが行われている最中のポップアップ画像および患者画像と医療従事者が応答した後のポップアップ画像および患者画像とを容易に区別することができるようにすることを目的とする。
【課題を解決するための手段】
【００１５】
上述した課題を解決するために、本発明では、呼び出しが行われた場合に、医療従事者による応答が行われるまでの間には、ナースコール子機の呼出操作部の操作による呼び出し、センサーによる呼び出し、および、センサーの種類を区別するための呼出種別を示す呼出種別情報と、ナースコール子機やセンサーが設置された場所を特定するための子機識別情報と、患者を特定するための患者識別情報と、その他の患者情報とを含むポップアップ画像を、患者の状態を撮影した画像を示す患者画像情報とともにナースコール親機の表示部に表示するとともに、医療従事者による応答が行われた後には、呼出種別情報、子機識別情報、および患者識別情報のみを含むポップアップ画像を患者画像情報とともに表示するようにしている。
【発明の効果】
【００１６】
上記のように構成した本発明によれば、呼び出しが行われている場合に、医療従事者による応答が行われるまでは、呼出種別情報、子機識別情報、患者識別情報、その他の患者情報を含むポップアップ画像が患者の画像とともに表示され、医療従事者による応答が行われた後は、呼出種別情報、子機識別情報、患者識別情報という最低限の情報を含むポップアップ画像が患者の画像とともに表示されるので、ポップアップ画像の表示内容を確認するだけで、そのポップアップ画像および患者の画像が、呼び出しが行われている最中のポップアップ画像および患者画像であるのか、医療従事者が応答した後のポップアップ画像および患者画像であるのかを医療従事者に容易に区別させることができる。
【図面の簡単な説明】
【００１７】
【図１】本実施形態によるナースコールシステムの構成例を示すブロック図である。
【図２】本実施形態によるナースコールシステムの表示部の表示例を示す図である。
【図３】本実施形態によるナースコールシステムの表示部の他の表示例を示す図である。
【発明を実施するための形態】
【００１８】
以下、本発明の一実施形態を図面に基づいて説明する。図１は、本実施形態によるナースコールシステムの構成例を示すブロック図である。１はナースコール子機であり、各患者のベッド近傍に設置されている。また、ナースコール子機１は、患者が自分の意思で医療従事者を呼び出す際に使用するものである。ここで、ナースコール子機１は、子機制御部２、呼出操作部３、子機インターフェース４を備えて構成されている。
【００１９】
５はセンサーであり、各患者のベッド近傍に必要に応じて設置されている。また、センサー５は、患者の所定の状態を検出して呼び出しを行う際に使用するものである。そのため、所定の状態を検出する必要の無い患者については、センサー５を設置する必要がない。ここで、センサー５は、センサー制御部６、検出部７、センサーインターフェース８を備えて構成されている。９はカメラであり、ベッド近傍の状況を撮影し、撮影された画像を患者画像情報として出力する。本実施形態では、カメラ９は、ベッド近傍の患者の状態を撮影するためのものであるため、複数台設置されている。一台目のカメラ９は、患者の顔を撮影するためのものであり、二台目のカメラ９は、患者がベッドから転落した状態を撮影するためのものである。
【００２０】
１０はナースコール親機であり、医療従事者が常駐するナースステーションなどに設置されており、医療従事者によって使用される。ここで、ナースコール親機１０は、制御部１１、インターフェース１２、記憶部１３、スピーカー１４、表示部１５、応答操作部１６を備えて構成されている。
【００２１】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、呼出ボタンなどにより構成されており、医療従事者を呼び出すために患者によって使用される。また、呼出操作部３が操作されると、子機制御部２は呼出信号を生成する。ここで、呼出信号は、ナースコール子機１を他のナースコール子機１と識別するための子機識別情報（例えば、ベッド番号など）を含む。この子機識別情報は、ナースコール子機１が設置されている場所を特定するための情報である。子機インターフェース４は、ナースコール子機１とナースコール親機１０とを接続して通信を行うためのものである。ここで、子機インターフェース４は、子機制御部２によって生成された呼出信号を出力する。
【００２２】
次に、センサー５の各構成要素について説明する。センサー制御部６は、センサー５の各構成要素を後述するように制御するためのものであり、ＣＰＵなどにより構成されている。検出部７は、患者の所定の状態を検出するためのものである。ここで、所定の状態とは、患者がベッドから離床したり、患者がベッドから転倒／転落したり、患者への点滴が終了しそうであったり、患者の脈拍や心肺状態が正常ではなくなったりしたことを示す。例えば、患者の離床や転倒／転落を検出するためには、マットセンサーなどのセンサーが用いられ、点滴の終了を検出するためには、輸液センサーなどのセンサーが用いられ、患者の脈拍や心肺状態が正常ではなくなったことを検出するためには、ＭＥ機器などが用いられる。
【００２３】
また、検出部７が患者の所定の状態を検出すると、センサー制御部６は検出信号を生成する。ここで、検出信号は、センサー５を他のセンサー５と識別するための子機識別情報を含む。センサーインターフェース８は、センサー５とナースコール親機１０とを接続して通信を行うためのものである。ここで、センサーインターフェース８は、センサー制御部６によって生成された検出信号を出力する。
【００２４】
次に、ナースコール親機１０の各構成要素について説明する。制御部１１は、ナースコール親機１０の各構成要素を後述するように制御するためのものであり、ＣＰＵなどにより構成されている。インターフェース１２は、ナースコール親機１０とナースコール子機１およびセンサー５とを接続して通信を行うためのものである。また、インターフェース１２は、ナースコール親機１０とカメラ９を接続して通信を行うためのものである。ここで、インターフェース１２は、ナースコール子機１から出力された呼出信号を入力する。また、インターフェース１２は、センサー５から出力された検出信号を入力する。また、インターフェース１２は、カメラ９から出力された患者画像情報を出力する。
【００２５】
記憶部１３は、子機識別情報と、この子機識別情報によって特定されるナースコール子機１を使用する患者を識別するための患者識別情報とを関連付けて予め記憶している。また、記憶部１３は、患者情報（例えば、患者の担当看護師、担当医師、受診科目、救護区分など）を患者識別情報に関連付けて記憶している。ここで、本実施形態では、担当看護師の患者情報を使用している。
【００２６】
スピーカー１４は、ナースコール子機１の呼出操作部３が操作されて患者が医療従事者を呼び出したことを音声にて報知する。また、スピーカー１４は、センサー５の検出部７が患者の所定の状態を検出したことを音声にて報知する。
【００２７】
表示部１５は、ナースコール親機１０が管理する病室および患者の一覧を表示する（図２を参照）。また、表示部１５は、呼び出しが行われた場合に、ポップアップ画像を表示する。また、表示部１５は、カメラ９から入力した患者画像情報をポップアップ画像に併せて表示する。
【００２８】
応答操作部１６は、フックスイッチおよびハンドセットなどにより構成されており、スピーカー１４による報知やディスプレイ１５によるポップアップ画像の表示による報知に気付いた医療従事者がハンドセットをオフフックすることで操作される。
【００２９】
ここで、インターフェース１２がナースコール子機１から呼出信号を入力したと制御部１１にて判断した場合に、制御部１１はスピーカー１４を動作させる。また、制御部１１は記憶部１３を参照して、インターフェース１２が入力した呼出信号に含まれる子機識別情報に関連付けて記憶されている患者識別情報および患者識別情報に関連付けて記憶されている患者情報を取得する。また、制御部１１は、インターフェース１２が呼出信号を入力したことから、呼出種別を「ナースコール」であると特定する。そして、制御部１１は、呼出種別情報、子機識別情報、患者識別情報、患者情報、および、カメラ９から入力した患者画像情報に基づいて呼び出しの報知を示すポップアップ画像を生成し、表示部１５に表示させる。
【００３０】
この状態で応答操作部１６が操作されると、制御部１１は、スピーカー１４の動作を停止させる。また、制御部１１は、呼出種別情報、子機識別情報、患者識別情報、および、カメラ９から入力した患者画像情報に基づいて応答済みのポップアップ画像を生成し、表示部１５に表示させる。本実施形態では、このポップアップ画像は、呼び出しを報知するためのポップアップ画像よりも縮小されており、呼び出しを報知するためのポップアップ画像とは別の場所に表示される。ここで、カメラ９は、患者がナースコール子機１の呼出操作部３を操作したタイミングで動作を開始することが好ましい。これにより、カメラ９の動作時間を短くすることができる。
【００３１】
一方、インターフェース１２がセンサー５から検出信号を入力したと制御部１１にて判断した場合に、制御部１１はスピーカー１４を動作させる。また、制御部１１は記憶部１３を参照して、インターフェース１２が入力した検出信号に含まれる子機識別情報に関連付けて記憶されている患者識別情報および患者識別情報に関連付けて記憶されている患者情報を取得する。また、制御部１１は、インターフェース１２が検出信号を入力したことから、呼出種別を「センサー」であると特定する。そして、制御部１１は、呼出種別情報、子機識別情報、患者識別情報、患者情報、および、カメラ９から入力した患者画像情報に基づいて呼び出しの報知を示すポップアップ画像を生成し、表示部１５に表示させる。
【００３２】
この状態で応答操作部１６が操作されると、制御部１１は、スピーカー１４の動作を停止させる。また、制御部１１は、呼出種別情報、子機識別情報、患者識別情報、および、カメラ９から入力した患者画像情報に基づいて応答済みのポップアップ画像を生成し、表示部１５に表示させる。本実施形態では、このポップアップ画像は、呼び出しを報知するためのポップアップ画像よりも縮小されており、呼び出しを報知するためのポップアップ画像とは別の場所に表示される。
【００３３】
具体的には、図２（Ａ）に示すように、ベッド番号が「８０２−３」の患者「山田  太郎」がナースコール子機１の呼出操作部３を操作して呼び出しを行うと、ナースコール親機１０の表示部１５には、患者画像情報を含むポップアップ画像が表示される。このポップアップ画像には、呼出種別である「ナースコール」、担当看護師である「横山」、子機識別情報である「８０２−３」、患者識別情報である「山田  太郎（ヤマダ  タロウ）」が含まれる。
【００３４】
この状態で応答操作部１６が操作されると、図２（Ｂ）に示すように、ナースコール親機１０の表示部１５には、患者画像情報を含むポップアップ画像が、図２（Ａ）のポップアップ画像とは異なる場所（ここでは右下）に表示される。このとき、図２（Ａ）で表示されていたポップアップ画像は消去される。図２（Ｂ）に示すポップアップ画像には、呼出種別である「ナースコール」、子機識別情報である「８０２−３」、患者識別情報である「山田  太郎（ヤマダ  タロウ）」が含まれる。ここで、このポップアップ画像には、担当看護師である「横山」を示す患者情報が含まれない。
【００３５】
一方、図３（Ａ）に示すように、ベッド番号が「８０２−３」の患者「山田  太郎」の所定の状態をセンサー５が検出して呼び出しを行うと、ナースコール親機１０の表示部１５には、患者画像情報を含むポップアップ画像が表示される。このポップアップ画像には、呼出種別である「センサー」、担当看護師である「横山」、子機識別情報である「８０２−３」、患者識別情報である「山田  太郎（ヤマダ  タロウ）」が含まれる。
【００３６】
この状態で応答操作部１６が操作されると、図３（Ｂ）に示すように、ナースコール親機１０の表示部１５には、患者画像情報を含むポップアップ画像が、図３（Ａ）のポップアップ画像とは異なる場所（ここでは右下）に表示される。このとき、図３（Ａ）で表示されていたポップアップ画像は消去される。図３（Ｂ）に示すこのポップアップ画像には、呼出種別である「センサー」、子機識別情報である「８０２−３」、患者識別情報である「山田  太郎（ヤマダ  タロウ）」が含まれる。ここで、このポップアップ画像には、担当看護師である「横山」を示す患者情報が含まれない。
【００３７】
このように表示されている応答済みのポップアップ画像は、ナースコール親機１０における所定の操作により表示部１５から消去される。なお、所定時間（例えば、数分など）が経過した時点で消去するようにしても良い。
【００３８】
以上詳しく説明したように、本実施形態によれば、呼び出しが行われた場合に、医療従事者により応答操作部１６が操作されるまでの間、ナースコール子機１の呼出操作部３の操作による呼び出し、および、センサー５による呼び出しを区別するための呼出種別を示す呼出種別情報と、ナースコール子機１やセンサー５の設置場所を特定するための子機識別情報と、患者を特定するための患者識別情報と、その他の患者情報とを含むポップアップ画像を、患者の状態を撮影した画像を示す患者画像情報とともにナースコール親機１０の表示部１５に表示するとともに、医療従事者により応答操作部１６が操作された後には、呼出種別情報、子機識別情報、および、患者識別情報のみを含むポップアップ画像を患者画像情報とともに表示部１５に表示するようにしている。
【００３９】
これにより、呼び出しが行われている場合に、医療従事者による応答が行われるまでは、呼出種別情報、子機識別情報、患者識別情報、その他の患者情報を含むポップアップ画像が患者の画像とともに表示され、医療従事者による応答が行われた後は、呼出種別情報、子機識別情報、患者識別情報という最低限の情報を含むポップアップ画像が患者の画像とともに表示されるので、ポップアップ画像の表示内容を確認するだけで、そのポップアップ画像および患者の画像が、呼び出しが行われている最中のポップアップ画像および患者画像であるのか、医療従事者が応答した後のポップアップ画像および患者画像であるのかを医療従事者に容易に区別させることができる。
【００４０】
なお、前述した実施形態では、呼び出しが行われている最中のポップアップ画像の患者画像よりも、応答が行われた後のポップアップ画像の患者画像の方を小さくしているが、これに限定されない。例えば、両者の大きさを同じとしても良い。
【００４１】
また、前述した実施形態では、呼び出しが行われている最中のポップアップ画像の呼出種別情報、子機識別情報、患者識別情報の文字よりも、応答が行われた後のポップアップ画像の呼出種別情報、子機識別情報、患者識別情報の文字の方を小さくしているが、これに限定されない。例えば、呼び出しが行われている最中のポップアップ画像中の文字と、応答が行われた後のポップアップ画像中の文字とを同じ大きさとしても良い。このとき、ポップアップ画像中に表示される項目（呼出種別情報、子機識別情報、患者識別情報、患者情報、患者画像）に応じてポップアップ画像の大きさを変えるようにすれば、応答が行われた後のポップアップ画像中に表示される項目が減るため、ポップアップ画像の面積も小さくなり、数多くのポップアップ画像を一つの画面中に表示させることが可能となる。
【００４２】
また、前述した実施形態では、患者画像がポップアップ画像に含まれているが、これに限定されない。例えば、ポップアップ画像に隣接して患者画像を表示するようにしても良い。すなわち、患者画像がポップアップ画像と関連していることがわかるような配置であれば、どのような配置であっても良い。
【００４３】
また、前述した実施形態では、ポップアップ画像に表示される呼出種別として、「ナースコール」および「センサー」のみが記載されているが、これに限定されない。例えば、センサーの種類を呼出種別としてポップアップ画像に表示するようにしても良い。また、点滴終了時に患者が操作する点滴ボタンや、トイレへの介助を求める際に患者が操作するトイレボタンなどによる呼出種別をポップアップ画像に表示するようにしても良い。
【００４４】
また、前述した実施形態では、ナースコール親機１０によって管理される病室および患者が一覧として表示されているが、これに限定されない。例えば、表示部１５にポップアップ画像および患者画像のみを表示するようにしても良い。
【００４５】
また、前述した実施形態では、ポップアップ画像に表示される患者情報は担当看護師の情報だけであるが、これに限定されない。例えば、その他の患者情報（救護区分や担当医師、診療科目など）を同時に表示するようにしても良い。
【００４６】
また、前述した実施形態では、制御部１１は、ポップアップ画像を表示部１５の右上に表示させるようにしているが、これに限定されない。例えば、制御部１１がポップアップ画像を表示部１５の左側に表示させても良いし、ポップアップ画像を表示部１５の中央に表示させるようにしても良い。
【００４７】
また、前述した実施形態では、呼び出しを音声にて報知するためのスピーカー１４をナースコール親機１０に設けているが、これに限定されない。例えば、ナースコール親機１０にスピーカー１４を設けないようにしても良い。
【００４８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４９】
１    ナースコール子機
２    子機制御部
３    呼出操作部
４    子機インターフェース
５    センサー
６    センサー制御部
７    検出部
８    センサーインターフェース
９    カメラ
１０    ナースコール親機
１１    制御部
１２    インターフェース
１３    記憶部
１４    スピーカー
１５    表示部
１６    応答操作部
【図１】
2014158637.tif 000003
【図２】
2014158637.tif 000004
【図３】
2014158637.tif 000005